(57)【要約】【課題】魚に対して優れたアピール効果を発揮する釣り用ルアーを提供する。【解決手段】ルアー１０は、小魚を模した外観形状となるように形成されたルアーボディ１１の先端部付近に、適度に前下がり傾斜するリップ１８を付設してなる。ルアーボディ１１のヘッド部１１ａが上面視で、先細の薄いエッジ状に形成される。【選択図】図１
2015149952.tif 000002
【特許請求の範囲】
【請求項１】
小魚を模した外観形状となるように形成されたルアーボディの先端部付近に、適度に前下がり傾斜するリップを付設してなる釣り用ルアーであって、
前記ルアーボディのヘッド部が上面視で、先細の薄いエッジ状に形成されたことを特徴とする釣り用ルアー。
【請求項２】
前記ルアーボディのヘッド部の上面に凹部が形成されたことを特徴とする請求項１に記載の釣り用ルアー。
【請求項３】
前記ルアーボディに結合する前記リップの基部は、該リップの先端部から直線状に連続するように形成され、そのまま前記ルアーボディに結合することを特徴とする請求項１又は２に記載の釣り用ルアー。
【請求項４】
前記ルアーボディに結合する前記リップの基部は、その両側が上方に適度にしゃくり上げるように形成されたことを特徴とする請求項１又は２に記載の釣り用ルアー。
【発明の詳細な説明】
【技術分野】
【０００１】
本発明は釣り用ルアー、特にルアーボディの先端部付近にリップを有するクランクベイトルアーに関するものである。
【背景技術】
【０００２】
ルアー釣りにおいて、対象魚の種類等に応じて様々な形態や工夫が施されたルアーが考案されている。例えば、所謂フィッシュイーターと呼ばれる主に小魚を常食餌とする大型の対象魚の場合、小魚に似せた形態のルアーが使用される。対象魚を誘い、つまり対象魚に対して強くアピールする集魚効果を得るために、ルアーの形や色彩等につき工夫がなされている。
【０００３】
この種のルアーにおける対象魚に対するアピール効果は形態ばかりでなく、ルアーが水中での遊泳中にとるルアーアクションもまた重要なポイントになる。例えば特に、ルアーボディの先端部付近に付設したリップ（潜水板）を備えたルアーにあっては、遊泳中に該リップによって水流抵抗を受けることでルアーアクションをとりながら、遊泳軌跡を描くようにしている。例えば特許文献１に記載のルアーは、ルアー本体から突出した板状構造を有するリップを有している。
【先行技術文献】
【特許文献】
【０００４】
【特許文献１】特開２００４−５７２０３号公報
【発明の概要】
【発明が解決しようとする課題】
【０００５】
ところで、クランクベイトルアーでは一般に、直線軌道に沿ってルアーを遊泳させて魚を誘うが、直線軌道であるため１回のキャスティングにより魚に対してアピール可能な範囲が狭い。魚に対して幅広くアピールするにはキャスティング回数が多くならざるを得ない。また、直線軌道に沿ったルアーの遊泳軌跡は単純なものとなり、例えば居座りの魚に対してルアーが迫って来る様子や、逃げて行く様子がその魚にとって分かり易く、アピール効果に影響する。
【０００６】
本発明はかかる実情に鑑み、魚に対して優れたアピール効果を発揮する釣り用ルアーを提供することを目的とする。
【課題を解決するための手段】
【０００７】
本発明の釣り用ルアーは、小魚を模した外観形状となるように形成されたルアーボディの先端部付近に、適度に前下がり傾斜するリップを付設してなる釣り用ルアーであって、前記ルアーボディのヘッド部が上面視で、先細の薄いエッジ状に形成されたことを特徴とする。
【０００８】
また、本発明の釣り用ルアーにおいて、前記ルアーボディのヘッド部の上面に凹部が形成されたことを特徴とする。
【０００９】
また、本発明の釣り用ルアーにおいて、前記ルアーボディに結合する前記リップの基部は、該リップの先端部から直線状に連続するように形成され、そのまま前記ルアーボディに結合することを特徴とする。
【００１０】
また、本発明の釣り用ルアーにおいて、前記ルアーボディに結合する前記リップの基部は、その両側が上方に適度にしゃくり上げるように形成されたことを特徴とする。
【発明の効果】
【００１１】
本発明によれば、Ｓ字状の遊泳軌道に沿ったルアーアクションにより横方向への振れ幅があるため、１回のキャスティングで幅広く魚にアピールすることができる。つまり線で誘うのではなく、Ｓ字で形成される面で魚を誘うことができ、狙うポイントでのキャスティングの回数を減らせるため、魚に飽きさせないので高い釣果を期待できる。
【図面の簡単な説明】
【００１２】
【図１】本発明の実施形態に係る釣り用ルアーの斜視図である。
【図２Ａ】本発明の実施形態に係る釣り用ルアーの正面図である。
【図２Ｂ】本発明の実施形態に係る釣り用ルアーの上面図である。
【図３Ａ】本発明の実施形態に係る釣り用ルアーにおけるヘッド部まわりを示す上面図である。
【図３Ｂ】本発明の実施形態に係る釣り用ルアーにおけるヘッド部による作用を示す上面図である。
【図４】本発明の実施形態に係る釣り用ルアーの遊泳軌道の例を示す平面図である。
【図５Ａ】一般的な釣り用ルアーにおけるヘッド部まわりを示す上面図である。
【図５Ｂ】一般的な釣り用ルアーにおけるヘッド部による作用を示す斜視図である。
【図６】一般的な釣り用ルアーの遊泳軌道の例を示す平面図である。
【図７】本発明の実施形態に係る釣り用ルアーの側面図である。
【図８】本発明の実施形態に係る釣り用ルアーにおいてウォブリング動作を説明するための側面図及び上面図である。
【図９】本発明の実施形態に係る釣り用ルアーにおいてローリング動作を説明するための上面図及び正面図である。
【図１０】一般的な釣り用ルアーにおけるリップ基部の結合構造を示す斜視図である。
【発明を実施するための形態】
【００１３】
以下、本発明による釣り用ルアーの好適な実施の形態について、添付図面に基づいて詳細に説明する。
図１は、この実施形態における釣り用ルアー１０の例を示している。図１において、１１はルアーボディであり、このルアーボディ１１は合成樹脂等の材料により小魚に似せた外観形状となるように形成されている。この場合、ルアーボディ１１の長手方向（前後方向）に沿って二分した左右２つのボディハーフを相互に当接させることで一体化し、中空構造を有する。
【００１４】
また、１２はルアーボディ１１の先端部に設けた糸環であり、この糸環１２に釣糸もしくはライン１３が結び付けられる。更に、１４及び１５はそれぞれフックハンガであり、これらにフロントフック（釣針）１６及びリヤフック１７が係着する。なお、必要に応じて、ルアーボディ１１の内部に通常、金属製のバランスウェイトが内蔵される。このバランスウェイトとして、ルアーボディ１１の所定部位に固定されるもの、あるいはルアーボディ１１の長手方向に沿って移動可能なもの等、単数あるいは複数個含んでよい。
【００１５】
更に、１８はルアーボディ１１の先端部付近に付設したリップ（潜水板）である。このリップ１８は薄い板状に形成され、ルアーボディ１１に対して適度に下方に傾斜（典型的には前下がり）するように設けられる。図２Ａに示されるようにリップ１８は、先端側が長い底辺となる台形状に形成される。これによりライン１３を引くことでルアー１０は潜行姿勢をとることができる。
【００１６】
本発明のルアー１０において特に、図２Ｂに示すようにルアーボディ１１のヘッド部１１ａが上面視で、先細の薄い（幅狭の）エッジ状に形成され、図示例のようにＶ字状を呈する。図３Ａの一点鎖線のようにヘッド部１１ａはエッジが効いて尖っているため、水流を受けて頭部を左右いずれかに振ったとき例えば図３Ｂの矢印Ａのように左右一方側（ルアーボディ１１の左側）のみで水流を受ける。この一方側とは反対側（ルアー１０から見て左側）を向き難くなり、即ち図３Ｂの点線矢印Ｂのような首振りをし難くなり、ルアー１０が右方を指向するように流れていく。エッジの立った形状とすることで、図３Ｂのように進行方向から受ける水を掴み易くなり、船の舵を切った場合と同様に左右いずれかに向きを変えて遊泳する。
【００１７】
図４は、ルアー１０の遊泳軌道の例を示す平面図である。水中のルアー１０に対してライン１３を引くと、ルアー１０は左右いずれかを指向して遊泳する（図４のイ）の状態）。ルアー１０はライン１３によって引っ張られながら進行するため、ある程度斜め方向に進むと（図４のロ）の状態）、ライン１３からルアー１０に対して指向方向とは反対横向きの力が作用する。この反対横向きの力によりルアー１０は、それまでとは向きを変えて遊泳する（図４のハ）の状態）。更に、このように向きを変えてある程度斜め方向に進むと（図４のニ）の状態）、上記とは逆方向の横向きの力が作用し、再び向きを変える（図４のホ）の状態）。以下同様の動作を繰り返される。
【００１８】
このような動作で得られるルアー１０の遊泳軌道としては、図４の太線矢印Ｃのように大きなＳ字状となり、即ちルアー１０はスラローム状のルアーアクションを行う。ルアー１０のスラローム状のルアーアクション時、遊泳軌道全体として見るとＳ字状のスラローム型となるが、その間小刻みに左右に振動するようなアクションをする。
【００１９】
ここで、一般的なルアーにおけるルアーボディのヘッド部まわりの形状は、例えば図５Ａを参照して、ルアー１００のルアーボディ１０１のヘッド部１０１ａは上面視で、図５の一点鎖線のようにＲ（アール）状に湾曲形成されている。このようにヘッド部１０１ａが丸まっていると、水流を受けて頭部を左右いずれかに振ったとき例えば図５Ｂの矢印Ａと反対側の矢印Ａ′のような水流も受ける。つまりルアーボディ１０１の左右両側で水流を受けるために反対側を向き易くなり、即ち図５Ｂの点線矢印Ｂのような首振りをし易くなり、結果的に図６の太線矢印Ｄのようにルアー１００の遊泳軌道としては直線状となる。丸まったヘッド部位形状を持つルアー１００にあっては、進行方向から受ける水を受け流し易くなり、本発明のように指向性を持たずにブルブルとアクションするときに簡単に向きを変え、基本的には本発明のようなスラローム状のルアーアクションを行わない。
【００２０】
更に、図７に示すようにルアー１０のヘッド部１１ａの上面（額部乃至頭部付近）に凹部１９が形成される。この凹部１９は眼部のやや後斜め上方に位置し、ルアー１０の遊泳開始時に図７の矢印Ｅのように進行方向前方から後斜め上方に流れる水を受ける。このような水流によりルアーボディ１１は凹部１９付近にて矢印Ｆのように上方から下方へ押え付けられ、上方への動きが抑制されることで左右いずれかの側に傾き易くなる。
【００２１】
前述のようにライン１３のリトリーブによりルアー１０はスラローム状のルアーアクションを行うが、ルアー１０の泳ぎ出しの際、凹部１９で水を受けることで遊泳軌道を左右に逸らし易くする。ルアー１０におけるスラローム状のルアーアクションを起こさせるために効果的に作用する。
【００２２】
また、ルアー１０のスラローム状のルアーアクションにはウォブリング動作が密接に関係し、即ちスラロームアクションをするクランクベイトルアーにはウォブリングが前提となる。ここで、図８に示したようにウォブリングではルアーボディ１１を上下方向に通る軸（ウォブリング軸Ｘとする）のまわりに矢印Ｇのように動作する。前述したルアーボディ１１のヘッド部１１ａにおけるエッジ状の形状や凹部１９による作用効果は、ルアーボディ１１の正面から積極的に水を受けるウォブリング動作により初めて有効に機能する。
【００２３】
この場合、ローリング動作では水を受け流してしまい、スラローム状のルアーアクションの阻害要因となる。なお、図９に示したようにローリングではルアーボディ１１を前後方向に通る軸（ローリング軸Ｙとする）のまわりに矢印Ｈのように動作する。このようなローリング動作は、そのままではヘッド部１１ａにおけるエッジ状の形状や凹部１９で得られる効果を有効に発揮させることができない。
【００２４】
そこで、本発明のルアー１０では更に、ルアーボディ１１に結合するリップ１８の基部１８ａは、該リップ１８の先端部から直線状に連続するように形成され、そのままルアーボディ１１に結合する（図１参照）。即ち、ルアーボディ１１とリップ１８の結合部分は、ルアーボディ１１に対して平坦なリップ１８を差し込んだだけの結合構造が好適である。リップ１８の基部１８ａをこのように構成することで、リップ１８で受けた水をリップ１８の根元で受け流し難くし、これによりウォブリング動作を起こすことでスラロームアクションを確実に誘導することができる。
【００２５】
図１０に示すように例えばルアー１００の場合で説明する。図１０の一点鎖線形状で示すように、ルアーボディ１０１に対してリップ１０２の基部１０２ａを曲げて結合すると、この曲げ部分で水を逃がしてしまいローリング動作となる。もはやローリング動作ではスラロームアクションを誘導することが実質的に困難となる。
【００２６】
上記のように構成された本発明の釣り用ルアー１０において、次にその作用効果等について説明する。キャスティングされたルアー１０は着水後、ライン１３を引くことでリップ１８が水流抵抗を受けて、前傾姿勢をとって潜行する。その場合、ライン１３の引き加減等を調節することで、ルアーボディ１１が所望のルアーアクションをとるように制御することができる。
【００２７】
上述したように一般的なルアー１００では直線状の遊泳軌道に沿って魚を誘うが、本発明のルアー１０では特にＳ字状の遊泳軌道に沿ったルアーアクションにより横方向への振れ幅があるため、１回のキャスティングで幅広く魚にアピールすることができる。つまり線で誘うのではなく、Ｓ字で形成される面で魚を誘うことができ、狙うポイントでのキャスティングの回数を減らせるため、魚に飽きさせないので高い釣果を期待できる。
【００２８】
また、Ｓ字状の遊泳軌道によればルアー１０の後方から迫ってきた魚の目線から、見えたり見えなかったりして見え隠れするアクションとなり、魚が反射的に食い付き易くさせる。この点でも釣果を期待できる。更に、居座りの魚に対して直線状の遊泳軌道の場合では、ルアーが魚に迫って来る様子や、逃げて行く様子が分かり易く、視覚的刺激に乏しく釣果を期待し難い。本発明のルアー１０ではＳ字状の遊泳軌道であるため、魚の前に急にルアーが現われ、あるいは居なくなるという視覚効果が得られる。
【００２９】
また、本発明のルアー１０ではこれを見つけた魚が追いかけ始めるときに、左右へ逃げ惑うアクションとなるので、よりフィッシュイーターの狩猟本能を掻き立てる。
また、Ｓ字状の遊泳軌道を描きながら遊泳する際にルアーボディ１１をやや傾けながら遊泳軌道を左右に変えるので、ルアー１０に施された色彩の明滅効果は、直線状に誘うルアーに比べて格段に大きい。
【００３０】
なお、本発明の好適な実施形態を説明したが、本発明は上述した実施形態にのみ限定されるものではなく、必要に応じて適宜変更等が可能である。
リップ１８の形状として台形状の例を説明したが、図示例の他にその台形の角部にアールを付け、あるいは台形に限らずその他の形状も可能である。
また、図７に点線で示すようにリップ１８の基部１８ａはその両側を上方に適度にしゃくり上げるように形成し、この基部１８ａで水を後斜め上方に流れるようにし、ルアーボディ１１を上方から下方へ押え付ける効果を得ることも可能である。
【符号の説明】
【００３１】
１０  ルアー
１１  ルアーボディ
１２  糸環
１３  ライン
１４，１５  フックハンガ
１６  フロントフック
１７  リヤフック
１８  リップ
１９  凹部
【図１】
2015149952.tif 000003
【図２Ａ】
2015149952.tif 000004
【図２Ｂ】
2015149952.tif 000005
【図３Ａ】
2015149952.tif 000006
【図３Ｂ】
2015149952.tif 000007
【図４】
2015149952.tif 000008
【図５Ａ】
2015149952.tif 000009
【図５Ｂ】
2015149952.tif 000010
【図６】
2015149952.tif 000011
【図７】
2015149952.tif 000012
【図８】
2015149952.tif 000013
【図９】
2015149952.tif 000014
【図１０】
2015149952.tif 000015